(57)【要約】【課題】電子機器に追加するハードウェアおよびソフトウェアの改変を最小限としてコストアップを招くことなくネットワークに接続できるようにし、これによりネットワークから電子機器を操作すること、またはネットワークから電子機器の状態を変化させることができるようにする。【解決手段】通信機能を持たない電子機器に内蔵又は接続される通信システムＬＳＩにあって、記憶部に記憶されたプログラムを実行することにより、ネットワークに接続される第１の情報処理装置から発行されたコマンドを通信デバイスまたは通信モジュールで受信し、この受信されたコマンドに応じてユーザの操作を模する電気信号または電子機器の状態を変える電気信号を生成して、電子機器の制御部へ出力する。【選択図】  図３
2013191918.tif 000002
【特許請求の範囲】
【請求項１】
通信機能を持たない電子機器をネットワークに接続する通信システムＬＳＩであって、
前記電子機器の制御部へ電気信号を出力する信号出力部と、
所定のプログラムおよびデータを記憶する記憶部と、
通信デバイスまたはモジュールが接続されるインタフェース部と、
前記信号出力部、記憶部及びインタフェース部に接続される処理部と
を具備し、
前記処理部は、
前記記憶部に記憶されたプログラムを実行することにより、前記ネットワークに接続される第１の情報処理装置から発行されたコマンドを前記インタフェース部に接続された通信デバイスまたは通信モジュールで受信する手段と、
前記記憶部に記憶されたプログラムを実行することにより、前記受信されたコマンドに応じてユーザの操作を模する電気信号または電子機器の状態を変える電気信号を生成し、この生成された電気信号を前記信号出力部から前記電子機器の制御部へ出力する手段を
備えることを特徴とする通信システムＬＳＩ。
【請求項２】
前記コマンドを受信する手段は、前記ネットワークにユーザが使用する通信端末が接続可能な状態で、ユーザが前記通信端末を操作したことを契機として前記第１の情報処理装置から発行されるコマンドを受信するものであることを特徴とする請求項１に記載の通信システムＬＳＩ。
【請求項３】
前記コマンドを受信する手段は、前記ネットワークに上記第１の情報処理装置とは別の第２の情報処理装置が接続可能な状態で、この第２の情報処理装置から提供される情報に基づいて前記第１の情報処理装置から発行されるコマンドを受信するものであることを特徴とする請求項１に記載の通信システムＬＳＩ。
【請求項４】
通信機能を持たない電子機器をネットワークに接続する通信システムＬＳＩであって、
前記電子機器の制御部へ電気信号を出力する信号出力部と、
所定のプログラムおよびデータを記憶する記憶部と、
前記ネットワークと通信を行う通信部と、
前記信号出力部、記憶部及び通信部に接続される処理部と
を具備し、
前記処理部は、
前記記憶部に記憶されたプログラムを実行することにより、前記ネットワークに接続される第１の情報処理装置から発行されたコマンドを前記通信部で受信する手段と、
前記記憶部に記憶されたプログラムを実行することにより、前記受信されたコマンドに応じてユーザの操作を模する電気信号または電子機器の状態を変える電気信号を生成し、この生成された電気信号を前記信号出力部から前記電子機器の制御部へ出力する手段を
備えることを特徴とする通信システムＬＳＩ。
【請求項５】
前記コマンドを受信する手段は、前記ネットワークにユーザが使用する通信端末が接続可能な状態で、ユーザが前記通信端末を操作したことを契機として前記第１の情報処理装置から発行されるコマンドを受信するものであることを特徴とする請求項４に記載の通信システムＬＳＩ。
【請求項６】
前記受信する手段は、前記ネットワークに前記第１の情報処理装置とは別の第２の情報処理装置が接続可能な状態で、この第２の情報処理装置から提供される情報に基づいて前記第１の情報処理装置から発行されるコマンドを受信するものであることを特徴とする請求項４に記載の通信システムＬＳＩ。
【発明の詳細な説明】
【技術分野】
【０００１】
この発明は、例えば電子機器をネットワークに接続させるために使用する通信システムＬＳＩに関する。
【背景技術】
【０００２】
近年、センサ機器、事務機器又は家電機器等の民生用電子機器にネットワーク通信機能を付加し、機器が測定したデータ、使用履歴、動作状態といった情報をネットワークを介してサーバ等に伝送し蓄積することで、これらの情報をユーザの端末から閲覧できるようにすることが各種提案されている。
【０００３】
例えば、特許文献１には、電気製品の情報を家庭内に配線した信号搬送路を通じて集中送信手段に送信し、該集中送信手段から家庭外のモニター手段に送信することによって生活状況を監視する生活モニターシステムに関する技術が提案されている。また、特許文献２には、通信回線を介して接続された家電製品を制御する家庭電化製品のコントローラに関する技術が提案されている。さらに、ハイエンドの民生用電子機器においては機器を直接ネットワークに接続することも一部で行われており、計測機器の分野では機器をパーソナル・コンピュータとケーブル接続してパーソナル・コンピュータ経由でネットワークに接続することも行われている。
【先行技術文献】
【特許文献】
【０００４】
【特許文献１】特許第３８８６２２７号公報
【特許文献２】特開２００４−４０２８５号公報
【発明の概要】
【発明が解決しようとする課題】
【０００５】
上述したように電子機器をネットワークに接続した場合に、電子機器からデータを送信したり、データやプログラムをダウンロードしたりするだけでは実現できるサービスには限りがある。これに対して電子機器をネットワークから操作可能な構成、または、ネットワークから電子機器の状態を変化させることの可能な構成とすれば、極めて多彩なサービスを実現することが可能となる。
【０００６】
しかしながら、電子機器をネットワークに接続して通信できるようにするためには、電子機器に通信デバイスまたは通信モジュールを追加した上で、電子機器の制御プログラムに外部ネットワークと通信するための通信プログラムを追加しなければならず、ハードウェアおよびソフトウェア双方の開発コストにより機器のコストが高くなってしまうという問題がある。
【０００７】
この発明は上記事情に着目してなされたもので、その目的とするところは、電子機器に追加するハードウェアおよびソフトウェアの改変を最小限としてコストアップを招くことなくネットワークに接続できるようにし、これによりネットワークから電子機器を操作すること、またはネットワークから電子機器の状態を変化させることができるようにする通信システムＬＳＩを提供することにある。
【０００８】
この発明は上記事情に着目してなされたもので、その目的とするところは、電子機器を改変することなくまたコストアップを招くことなくネットワークに接続できるようにし、これによりネットワークから電子機器を操作すること、またはネットワークから電子機器の状態を変化させることを可能にした通信システムＬＳＩを提供することにある。
【課題を解決するための手段】
【０００９】
上記目的を達成するためにこの発明の第１の観点は、通信機能を持たない電子機器をネットワークに接続する通信システムＬＳＩにあって、前記電子機器の制御部へ電気信号を出力する信号出力部と、所定のプログラムおよびデータを記憶する記憶部と、通信デバイスまたはモジュールが接続されるインタフェース部と、これらの信号出力部、記憶部及びインタフェース部に接続される処理部とを具備する。そして、前記処理部において、前記記憶部に記憶されたプログラムを実行することにより、前記ネットワークに接続される第１の情報処理装置から発行されたコマンドを前記インタフェース部に接続された通信デバイスまたは通信モジュールで受信し、この受信されたコマンドに応じてユーザの操作を模する電気信号または電子機器の状態を変える電気信号を生成して、前記信号出力部から前記電子機器の制御部へ出力するようにしたものである。
【００１０】
また、上記目的を達成するためにこの発明の第２の観点は、通信機能を持たない電子機器をネットワークに接続する通信システムＬＳＩにあって、前記電子機器の制御部へ電気信号を出力する信号出力部と、所定のプログラムおよびデータを記憶する記憶部と、前記ネットワークと通信を行う通信部と、これらの信号出力部、記憶部及び通信部に接続される処理部とを具備する。そして、前記処理部において、前記記憶部に記憶されたプログラムを実行することにより、前記ネットワークに接続された第１の情報処理装置から発行されたコマンドを前記通信部で受信し、この受信されたコマンドに応じてユーザの操作を模する電気信号または電子機器の状態を変える電気信号を生成して、前記信号出力部から前記電子機器の制御部へ出力するようにしたものである。
【００１１】
この発明の第１および第２の観点において、前記処理部は、前記ネットワークに通信端末が接続可能な状態で、ユーザがこの通信端末を操作したことを契機として前記第１の情報処理装置から発行されるコマンドを受信するものである。
【００１２】
また前記処理部は、前記ネットワークに前記第１の情報処理装置とは別の第２の情報処理装置が接続可能な状態で、この第２の情報処理装置から提供される情報に基づいて前記第１の情報処理装置から発行されるコマンドを受信するものである。
【発明の効果】
【００１３】
この発明の第１の観点に係る通信システムＬＳＩを電子機器に接続すれば、例えばサーバやクラウドネットワーク等の第１の情報処理装置から発行されたコマンドはインタフェース部に接続された通信デバイスまたは通信モジュールで受信され、この受信されたコマンドに応じてユーザの操作を模する電気信号または機器の状態を変える電気信号が生成されて電子機器の制御部に出力される。このため、電子機器に通信システムＬＳＩおよび通信デバイス又は通信モジュール以外のハードウェアを追加することなく、また電子機器の制御プログラムを大きく改変することなく、ネットワーク側から電子機器を遠隔操作して電子機器の状態を変化させることが可能となる。
【００１４】
また、本発明の第２の観点によれば、サーバまたはクラウドネットワーク等の第１の情報処理装置から発行されたコマンドが通信部で受信され、この受信されたコマンドに応じてユーザの操作を模する電気信号または機器の状態を変える電気信号が生成されて電子機器の制御部に出力される。このため、電子機器に通信システムＬＳＩ以外のハードウェアを追加することなく、また電子機器の制御プログラムを大きく改変することなく、ネットワークから電子機器を遠隔操作して電子機器の状態を変化させることが可能となる。
【００１５】
また、通信端末におけるユーザ操作に応じて第１の情報処理装置から発生されるコマンドを受信できるようにしたので、電子機器を通信端末におけるユーザ操作に応じて遠隔制御することが可能となる。
【００１６】
さらに、第２の情報処理装置から提供される情報に基づいて第１の情報処理装置から発行されるコマンドを受信できるようにしたので、電子機器を例えばサーバから発生される情報に応じて遠隔制御することが可能となる。
【００１７】
すなわち、この発明の第１又は第２の観点によれば、電子機器を改変することなくまたコストアップを招くことなくネットワークに接続できるようになり、これによりネットワークから電子機器を操作すること、またはネットワークから電子機器の状態を変化させることを可能にした通信システムＬＳＩを提供することが可能となる。
【図面の簡単な説明】
【００１８】
【図１】この発明の一実施形態に係る通信システムＬＳＩの実施例１の構成を示すブロック図である。
【図２】この発明の一実施形態に係る通信システムＬＳＩの実施例２の構成を示すブロック図である。
【図３】図１に示した通信システムＬＳＩのメモリに記憶されたプログラムのソフトウェア構成を示すブロック図である。
【図４】図２に示した通信システムＬＳＩを適用した電動シャッタの機能構成を示すブロック図である。
【図５】通信システムＬＳＩを適用した電子機器についてなされるネットワークシステムの構成図である。
【図６】図５に示したネットワークシステムにおいて使用される通信端末に表示される情報の一例を示す図である。
【図７】図５に示したネットワークシステムの動作手順とその内容を示すフローチャートである。
【発明を実施するための形態】
【００１９】
以下、図面を参照してこの発明に係わる実施形態を説明する。  
［一実施形態］
（実施例１）
図１は、この発明の一実施形態に係る通信システムＬＳＩの実施例１の構成を示すブロック図である。  
この通信システムＬＳＩ１００Ａは、電子機器に内蔵されることで当該電子機器をネットワークに対応させる機能を実現するものであり、ＣＰＵ１０１、信号受信部１０２、通信インタフェース部１０３、周辺回路１０４、メモリ１０５およびシステムバス１０６を有している。以下、各部について説明する。
【００２０】
ＣＰＵ１０１は中央処理ユニット（Central Processing Unit）であり、後述するメモリ１０５に記憶されたプログラムおよびデータを読み出して、所定の演算処理を行うことにより通信システムＬＳＩ１００Ａの各種機能を実現する部である。
【００２１】
信号受信部１０２は、電子機器が所定の通信方式およびフォーマットで出力する電気信号を受け付ける部であり、伝送路上を送られてくるデータを受信する。信号受信部１０２の受信したデータは、後述する一次解析プログラムをＣＰＵ１０１で実行することにより一次解析され、電子機器の状態または前記電子機器の機能した結果と対応するデータが抽出される。信号受信部１０２は、特定の通信方式に準拠した構成とする必要はなく、伝送路を送信されてくるデータを検出できる構成であればよい。
【００２２】
通信インタフェース部１０３は、３Ｇモデム、ＰＨＳモデム、ＷｉＦｉ（登録商標）アダプタ、Ｂｌｕｅｔｏｏｔｈ（登録商標）アダプタ等の通信デバイスを接続するためのインタフェースである。  
周辺回路１０４は、タイマ、クロック、割り込み回路、ＤＭＡ、ＤＡ／ＡＤコンバータ等の各種機能を提供する回路を含んでいる。
【００２３】
メモリ１０５は、ＣＰＵ１０１で実行するプログラムおよび読み出されるデータを格納した不揮発性かつ書き換え不可能なＲＯＭ１０５１と、同じく不揮発性で書き換え可能なＦｌａｓｈＲＯＭ１０５３と、ＣＰＵ１０１がプログラム実行時に使用する揮発性のＲＡＭ１０５２とから構成されている。ＲＯＭ１０５１およびＦｌａｓｈＲＯＭ１０５３に格納されたプログラムの詳細については後述する。システムバス１０６は、上記各部を結んで互いに通信する機能を提供する部である。
【００２４】
以上のように構成された通信システムＬＳＩ１００Ａは、通信インタフェース部１０３に通信デバイスを接続された状態で電子機器に内蔵され、信号受信部１０２が所定の電気信号を取得できるように配線された状態で、メモリ１０５に格納されたプログラムをＣＰＵ１０１で実行することにより、後述する動作を実行するものである。
【００２５】
（実施例２）
図２は、この発明の一実施形態に係る通信システムＬＳＩの実施例２の構成を示すブロック図である。同図において、図１と同一部分には同一符号を付して詳しい説明は省略する。  
この実施例２に係る通信システムＬＳＩ１００Ｂは、図１に示した通信システムＬＳＩ１００Ａにおける通信インタフェース部１０３に代えて、無線通信モデムからなる通信部１１０をＬＳＩ上に実装したものである。  
このような通信システムＬＳＩ１００Ｂは、そのまま電子機器に内蔵され、電子機器から出力された電気信号が信号受信部１０２に受信されるように配線した状態で、メモリ１０５に格納されたプログラムをＣＰＵ１０１で実行することにより、後述する動作を実行する。
【００２６】
図３は、図１に示した通信システムＬＳＩ１００Ａのメモリ１０５に格納されたプログラムのソフトウェアブロック図である。このプログラム１５０は、ＲＴＯＳ（Real-Time Operating SyステップＳＴem）１５１と、インタフェースドライバ１５２と、モデム制御プログラム１５３と、プロトコルスタック１５４と、ネットワーククライアント１５５と、メイン制御プログラム１５６とを有している。
【００２７】
ＲＴＯＳ１５１は、通信システムＬＳＩ１００Ａにコンピュータとしての基本的な機能を提供すると共に、処理時間が一定範囲内となることが予測可能なソフトウェア実行環境を提供する。インタフェースドライバ１５２は、通信インタフェース部１０３を利用するための機能を提供する。モデム制御プログラム１５３は、通信インタフェース部１０３に接続された無線モデムを制御して通信するための機能を提供する。プロトコルスタック１５４は、ＰＰＰ（Point-to-Point Protocol）、ＩＰ（Internet Protocol）、ＴＣＰ（Transmission Control Protocol）、ＵＤＰ（User Datagram Protocol）、Ｓｏｃｋｅｔ及びＤＮＳといった各種通信プロトコルのうち通信システムＬＳＩ１００Ａが必要なモジュールから構成される。ネットワーククライアント１５５は、メイン制御プログラム１５６にプロトコルスタック１５４およびモデム制御プログラム１５３を利用してネットワーク通信を行う機能を提供するものである。そしてメイン制御プログラム１５６は、メイン制御プログラム１５６は、各ソフトウェア機能ブロックの機能を利用して所定の動作を実現する。
【００２８】
すなわち、メイン制御プログラム１５６は、通信システムＬＳＩ１００ＡのＣＰＵ１０１で実行されることにより、通信システムＬＳＩ１００Ａがサーバまたはクラウドネットワークから受信した信号またはコマンドに応じて、当該信号またはコマンドの種類に応じて生成された電気信号を信号出力部１０２から出力する。その際、信号出力部１０２から出力される電気信号は、ユーザが電子機器を操作した際に制御部に入力される信号、または、電子機器の状態を変化させる際に制御部に入力される信号をエミュレートしたものである。
【００２９】
ユーザが電子機器を操作した際に制御部に入力される信号とは、例えば電子機器が操作部または入力部を有している場合には、当該操作部または入力部から電子機器の制御部（制御用マイクロコンピュータまたは制御基板等）へ出力される電気信号を意味する。また、電子機器の状態を変化させる際に制御部に入力される信号とは、例えば電子機器が特定のセンサにより検出値に基づいて状態を変化させる場合に、当該センサから電子機器の制御部（制御用マイクロコンピュータまたは制御基板等）へ出力される電気信号であって、電子機器の状態を変化させる効果を生じる電気信号を意味する。
【００３０】
ユーザが電子機器を操作した際に制御部に入力される信号、および、電子機器の状態を変化させる際に制御部に入力される信号は、いずれも電子機器の設計によって相違する。したがって、メイン制御プログラム１５６は、通信システムＬＳＩ１００Ａが搭載または接続される電子機器の設計に応じた信号を生成できるように構成する必要がある。
【００３１】
一方、電子機器の設計段階で通信システムＬＳＩ１００Ａを搭載または接続することが想定されている場合には、電子機器の制御プログラムにおいて通信システムＬＳＩ１００Ａが出力する電気信号をユーザが操作した際に制御部に入力される信号または電子機器の状態を変化させる際に入力される信号と同等に扱うように構成してもよい。
【００３２】
ここで、図２に示した通信システムＬＳＩ１００Ｂのプログラムについては、インタフェースドライバ１５２ではなく、通信部１１０の実装に応じたソフトウェアを用いればよい。その他は図３に示したものに準じた構成とすればよい。
【００３３】
以上詳細に説明したようにこの実施形態では、図１に示した通信システムＬＳＩ１００Ａは通信インタフェース部１０３にモデムを接続した形態で、また図２に示した通信システム１００Ｂはそのままの形態で電子機器に内蔵または接続され、メイン制御プログラム１５６をＣＰＵ１０１で実行させることにより、通信システムＬＳＩ１００Ａがサーバまたはクラウドネットワークから受信した信号またはコマンドに応じて、当該信号またはコマンドの種類に応じて生成された電気信号を信号出力部１０２から出力する。
【００３４】
したがって、電子機器をネットワーク対応させるために通信システムＬＳＩ１００Ａまたは１００Ｂ以外のハードウェアは必要がなく、電子機器の制御プログラムにも殆ど改変を加えることなく、既存の電子機器をそのままネットワークに対応させてサーバまたはクラウドネットワークからの信号による機器の制御が可能となる。
【００３５】
以下、この発明の一実施形態における通信システムＬＳＩの具体的な適用例を説明する。  
［適用例］
図４は、家屋建物の窓に設置される電動シャッタ２００のブロック図である。この電動シャッタ２００は、シャッタ軌道上に存在する障害物を検知する障害物検知センサ２０１と、シャッタの開放側限界を検出する開放側リミットセンサ２０２と、シャッタの閉鎖側限界を検出する閉鎖側リミットセンサ２０３と、モータを制御するインバータ装置２０４と、各部の動作を制御する制御部２０５と、操作スイッチ部２０６および電動モータ２０７および通信システムＬＳＩ１００Ｂを有している。このような構成とするにあたり、通信システムＬＳＩ１００Ｂの信号出力部１０２から出力された電気信号が操作スイッチ部２０６からの信号とともに制御部２０５へ入力されるように配線がなされている。
【００３６】
また、操作スイッチ部２０６には、開スイッチ２０６１、止スイッチ２０６２および閉スイッチ２０６３が設けられており、これらのスイッチを操作することにより各スイッチに対応した電気信号が制御部２０５に入力される。開スイッチ２０６１を操作した場合には、制御部２０５がインバータを制御してシャッタを開く方向に電動モータ２０７を駆動する。また閉スイッチ２０６３を操作した場合には、同様にシャッタを閉じる方向に電動モータ２０７を駆動する。さらに止スイッチ２０６１を操作した場合には、電動モータ２０７を停止する。
【００３７】
図５は、通信システムＬＳＩ１００Ｂを使用した情報システム３００の概要図である。この情報システム３００は、通信システムＬＳＩ１００Ｂを内蔵した電動シャッタ２００をネットワークに接続し、通信端末３１５から電動シャッタ２００を操作可能にしたものである。
【００３８】
情報システム３００は、主として、この発明の一実施形態に係る通信システムＬＳＩ１００Ｂを搭載した電子機器としての電動シャッタ２００と、通信端末３１５と、基地局３１１，３１２、ならびにゲートウェイ３１３を有する無線ネットワーク３１０と、無線ネットワーク３１０とゲートウェイ３１３を介して接続されたインターネット３２０と、それぞれインターネット３２０に接続されて構成されたクラウドネットワーク３２１と、サービスサーバ３２９及び外部情報サーバ３３０とを有している。
【００３９】
このうちクラウドネットワーク３２１は、ネットワーク上に存在するサーバが提供するサービスを、それらのサーバ群を意識することなしに利用できるように仮想化技術により構成されたコンピュータネットワークである。
【００４０】
クラウドネットワーク３２１は、サービスサーバ３２９からの入力を受け付けるネットワーク入力受付部３２５と、サービスサーバ３２９から受け付けたデータの送信先を特定するデータ送信先特定部３２６と、通信システムＬＳＩ１００Ｂに対してデータ（コマンド）を送信するデータ送信部３２７と、通信システムＬＳＩ１００ＢのＩＤ番号および無線ネットワーク３１０上のアドレスまたは識別番号を関連づけて記憶するデータベース部３２８とを有している。なお、データベース部３２８への通信システムＬＳＩ１００Ｂの登録は事前に行っておくものとする。
【００４１】
図６は、情報システム３００に接続された通信端末３１５上でシャッタ制御アプリケーションを実行中に表示される画面を示す図面であり、（ａ）は起動後にサービスサーバ３２９に対しログインするためのログインＩＤおよびパスワードの入力画面であり、（ｂ）はサービスサーバ３２９に対するログイン後に表示されるシャッタ操作画面を示している。電動シャッタ操作アプリケーションは、通信端末３１５において実行されることによりサービスサーバ３２９に対しユーザをログインさせ、シャッタ操作画面に対するユーザの操作を検出してサービスサーバ３２９に通知する機能を実現するものである。
【００４２】
上記シャッタ制御アプリケーションと通信するサービスサーバ３２９は、通信システムＬＳＩ１００ＢのＩＤ番号と関連付けられたログインＩＤのアカウントを有している。そして、シャッタ制御アプリケーションからログインＩＤおよびパスワードを送信することにより、当該アカウントにログインして後述の動作を行うサービスを利用可能とする。またサービスサーバ３２９は、シャッタ操作画面を操作することによりシャッタ制御アプリケーションから送信された信号を受信し、この受信した信号を当該アカウントのログインＩＤとともにクラウドネットワーク３２１へ送信する機能を実現する。
【００４３】
以下、情報システム３００に接続された通信端末３１５を操作することにより、電動シャッタ２００の動作を制御する動作の手順と処理内容を、図７のフローチャートを参照しながら説明する。
【００４４】
この動作は、まずユーザが自身の通信端末３１５を操作して、シャッタ制御アプリケーションを起動するところから開始される（ステップＳＴ１０１）。起動されたシャッタ制御アプリケーションは図６（ａ）に示したログイン画面を表示してログインＩＤおよびパスワードの入力をユーザに要求する（ステップＳＴ１０２）。そして、入力されたログインＩＤおよびパスワードをサービスサーバ３２９へ送信する。
【００４５】
これに対し、上記通信端末３１５からログインＩＤおよびパスワードを受信すると、サービスサーバ３２９は当該ログインＩＤおよびパスワードによる認証の可否を判定する（ステップＳＴ１０３）。この判定の結果、認証に失敗した場合には、サービスサーバ３２９は通信端末３１５にその旨を通知する。この通知を受けると通信端末３１５のシャッタ制御アプリケーションは、再度ログインＩＤおよびパスワードの入力を要求する。これに対して認証に成功した場合には、サービスサーバ３２９は通信端末３１５にログイン許可を通知する（ステップＳＴ１０４）。
【００４６】
ログイン許可の通知を受けたシャッタ制御アプリケーションは、図６（ｂ）に示したシャッタ操作画面を表示し（ステップＳＴ１０５）、この状態でユーザ操作の有無を繰り返し監視する（ステップＳＴ１０６）。この状態でユーザの操作が行われると、この検出されたユーザ操作に応じた信号をサービスサーバ３２９へ送信する（ステップＳＴ１０７）。
【００４７】
ユーザ操作に応じた信号を受信したサービスサーバ３２９は、この受信した信号をログインＩＤに関連付けられた通信システムＬＳＩ１００ＢのＩＤ番号とともにクラウドネットワーク３２１へ通知する（ステップＳＴ１０８）。クラウドネットワーク３２１は、サービスサーバ３２９からの通知をネットワーク入力受付部３２５で受け付け、この通知された通信システムＬＳＩ１００ＢのＩＤと関連付けられた無線ネットワーク３１０上のアドレスまたは識別番号をデータ通信先特定部３２６により特定する。そして、この特定された無線ネットワーク３１０上のアドレスまたは識別番号を利用して、データ送信部３２７により通信システムＬＳＩ１００Ｂへユーザ操作に応じた信号を送信する（ステップＳＴ１０９）。
【００４８】
電動シャッタ２００に搭載された通信システムＬＳＩ１００Ｂは、クラウドネットワーク３２１から受信した信号を解釈し、ユーザが電子機器を操作した際に制御部に入力される信号、または、電子機器の状態を変化させる際に制御部に入力される信号をエミュレートした信号から、受信した信号に対応した信号を特定する（ステップＳＴ１１０）。次に、上記解釈結果に応じた信号、すなわちステップＳＴ１１０で特定された信号を信号出力部１０２から電動シャッタ２００の制御部２０５に対して出力する（ステップＳＴ１１１）。この信号を受信した電動シャッタ２００の制御部２０５は、インバータ２０４により電動モータ２０７を駆動してシャッタの開閉を行う（ステップＳＴ１１２）。
【００４９】
以上のような動作により、シャッタ制御アプリケーションが通信端末３１５上に表示した図６（ｂ）のシャッタ操作画面をユーザが操作することによって、電動シャッタ２００の開閉を行うことができる。ここで、図６（ｂ）の操作画面は電動シャッタ２００の操作スイッチ部２０６を模した構成となっている。このため、開スイッチ２０６１に対応したソフトスイッチを操作することで、通信システムＬＳＩ１００Ｂからは実機の開スイッチ２０６１を操作した場合に制御部２０５に入力されるものに相当する信号が出力される。また同様に、操作画面に表示された止スイッチ２０６２及び閉スイッチ２０６３のソフトスイッチが操作された場合にも、通信システムＬＳＩ１００Ｂからは実機の開スイッチ２０６１を操作した場合に制御部２０５に入力されるものに相当する信号が出力される。したがって、実機を操作する場合と同じように、通信端末３１５から電動シャッタ２００を遠隔操作することができる。
【００５０】
以上詳細に説明したように、本発明の一実施形態における通信システムＬＳＩ１００Ｂを適用することにより、電動シャッタ２００のような電子機器に他のハードウェアを追加することなく、電子機器の制御プログラムにも殆ど改変を加えることなく、既存の電子機器をそのままネットワークに対応させてサーバまたはクラウドネットワークからの信号による電子機器の制御が可能となる。また、通信システムＬＳＩ１００Ａを適用した場合には通信モデム等の通信デバイスを追加する必要はあるものの、それでも最小限のハードウェアの追加でネットワーク対応が可能である。そして、通信システムＬＳＩ１００ＡまたはＢを適用した電子機器を用いることで、サーバまたはクラウドネットワークからの信号に応じて電子機器を操作することが可能となり、これにより機器の遠隔操作、遠隔状態変化、ネットワーク上の情報を利用した自発的な動作を実現する情報システムを実現することができる。
【００５１】
［その他の実施形態］
例えば、上記実施形態では周辺回路を通信システムＬＳＩに内蔵した場合を示したが、周辺回路の一部または全部を通信システムＬＳＩの外部に設ける構成としても構わない。また、通信システムＬＳＩを適用する電子機器も電動シャッタ２００に限られるものではなく、各種電子機器に広く適用することが可能である。さらに、情報システム３００においてクラウドネットワーク３２１上にネットワーク入力部３２５、データ送信先特定部３２６、データ送信部３２７およびデータベース部３２８を設けることも必須ではなく、特定のサーバ上に各部を設ける構成としても構わない。さらにまた、クラウドネットワーク３２１は、サービスサーバ３５９から受信した信号をそのまま通信システムＬＳＩ１００Ａまたは１００Ｂに送信するのではなく、受信した信号を解釈してそれに応じた信号を通信システムＬＳＩ１００Ａまたは１００Ｂに送信する構成としても良い。
【００５２】
また、上記した適用例では、通信端末３１５で実行されているシャッタ制御アプリケーションからの通知に応じて電動シャッタ２００を操作する場合を示したが、サービスサーバ３２９の機能はこれに限られるものではなく、例えば外部情報サーバ３３０が提供する情報に応じてサービスサーバ３２９が電動シャッタ２００を操作するための信号を送信する構成としても良い。例えば、外部情報サーバ３３０として天気情報を提供するサーバを適用した場合には、サービスサーバ３２９が天気情報や気温情報に応じて電動シャッタ２００を開閉する構成とすることができる。サービスサーバ３２９は複数の外部情報サーバ３３０からの情報に基づいて電動シャッタ２００を開閉する判断を行う構成としてもよく、様々な変形が可能である。
【００５３】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、
異なる実施形態に亘る構成要素を適宜組み合せてもよい。
【符号の説明】
【００５４】
１００Ａ，１００Ｂ…通信システムＬＳＩ、１０１…ＣＰＵ、１０２…信号受信部、１０３…通信インタフェース部、１０４…周辺回路、１０５…メモリ、１１０…通信部、１５０…プログラム、１５１…ＲＴＯＳ、１５２…インタフェースドライバ／通信部ドライバ、１５３…モデム制御プログラム、１５４…プロトコルスタック、１５５…ネットワーククライアント、１５６…メイン制御プログラム、２００…電動シャッタ、２０１…障害物検知センサ、２０２…開放側リミットスイッチ、２０３…閉鎖側リミットスイッチ、２０４…インバータ装置、２０５…制御部、２０６…操作スイッチ部、２０７…電動モータ、２０６１…開スイッチ、２０６２…止スイッチ、２０６３…閉スイッチ、３００…情報システム、３１０…無線ネットワーク、３１１，３１２…基地局、３１３…ゲートウェイ、３１５…通信端末、３２０…インターネット、３２１…クラウドネットワーク、３２５…ネットワーク入力受付部、３２６…データ送信先特定部、３２７…データ送信部、３２８…データベース部。
【図１】
2013191918.tif 000003
【図２】
2013191918.tif 000004
【図３】
2013191918.tif 000005
【図４】
2013191918.tif 000006
【図５】
2013191918.tif 000007
【図６】
2013191918.tif 000008
【図７】
2013191918.tif 000009